(57)【要約】【課題】  水平方向だけでなく、任意の方向に視認対象物を動かして、被験者の反応を測定できる技術を提供する。【解決手段】  指標像パターンを投影するプロジェクタと、プロジェクタからの光を反射する反射ミラーと、反射ミラーからの光を受けて指標像パターンを表示するスクリーンと、プロジェクタ、反射ミラー、およびスクリーンの相対位置を維持してこれらを保持する可動筐体と、可動筐体を支持する固定筐体と、可動筐体を固定筐体に対して回転可能に連結する回転軸と、を備える動体視力測定装置である。この装置では、反射ミラーを変位させることにより、スクリーンの上に表示される指標像パターンを一方向へ移動させ、回転軸を回転させることにより、固定筐体に固定された座標系において、指標像パターンの移動方向を変更する。【選択図】図２
2018126421.tif 000002
【特許請求の範囲】
【請求項１】
指標像パターンを投影するプロジェクタと、
前記プロジェクタからの光を反射する、反射面の変位が可能な反射ミラーと、
前記反射ミラーからの光を受けて前記指標像パターンを表示するスクリーンと、
前記プロジェクタ、前記反射ミラー、および前記スクリーンの相対位置を維持してこれらを保持する可動筐体と、
前記可動筐体を支持する固定筐体と、
前記可動筐体を前記固定筐体に対して回転可能に連結する回転軸と、を備える、
動体視力測定装置。
【請求項２】
前記スクリーンの上に表示される前記指標像パターンを視認した被験者により、入力を受け付けるための入力装置と、
前記指標像パターンの種類に対応付けられた正解情報を格納する制御装置と、を備える、
請求項１記載の動体視力測定装置。
【請求項３】
前記スクリーンは方向を示す第１のマークを備え、
前記入力装置は方向を示す第２のマークを備える、
請求項２記載の動体視力測定装置。
【請求項４】
前記第１のマークは、前記スクリーンの前記指標像パターンが投影される面に配置される、
請求項３記載の動体視力測定装置。
【請求項５】
前記可動筐体、前記固定筐体および前記回転軸を含む表示装置と、前記入力装置および前記表示装置を制御する制御装置を備え、
前記入力装置は、前記制御装置および前記表示装置とは別個独立の筐体で構成されている、
請求項３記載の動体視力測定装置。
【請求項６】
前記入力装置は、相対的に回転可能な入力装置筐体と入力部から構成される、
請求項３記載の動体視力測定装置。
【請求項７】
前記入力装置は、前記入力を行うために被験者が行う入力動作と、前記入力の結果出力される信号の対応関係を、変更可能に構成される、
請求項２記載の動体視力測定装置。
【請求項８】
前記入力装置は、前記入力を行うために被験者が行う入力動作と、前記入力の結果出力される信号の対応関係を、前記可動筐体に対する前記固定筐体の回転角度に基づいて、変更可能に構成される、
請求項７記載の動体視力測定装置。
【請求項９】
前記回転軸は、前記固定筐体が設置される面に水平である、
請求項１記載の動体視力測定装置。
【請求項１０】
前記指標像パターンは、ランドルト環である、
請求項１記載の動体視力測定装置。
【請求項１１】
指標像パターンを投影するプロジェクタを用い、前記プロジェクタからの光を変位可能な反射面で反射し、前記反射面からの光をスクリーンに投影して、前記反射面の変位に伴ってスクリーン上で前記指標像パターンを移動させ、被験者に提示する動体視力測定方法であって、
前記プロジェクタ、前記反射面、および前記スクリーンの相対位置を維持して、これらを回転軸を中心に回転させることにより、前記被験者から見た前記指標像パターンの移動方向を変更する、
動体視力測定方法。
【請求項１２】
前記回転軸は、前記被験者の視線の方向と略同一である、
請求項１１記載の動体視力測定方法。
【請求項１３】
前記指標像パターンは、少なくとも静止時においてパターンの方向が視認できるものである、
請求項１１記載の動体視力測定方法。
【請求項１４】
入力装置を用いて、前記スクリーン上に表示される前記指標像パターンの方向を視認した被験者により、入力を受け付けるに先立ち、
前記スクリーンに付された第１のマークと、前記入力装置に付された第２のマークに基づいて、前記入力装置の配置方向を設定する、
請求項１３記載の動体視力測定方法。
【請求項１５】
指標像パターンを投影するプロジェクタと、
前記プロジェクタからの光を反射する反射ミラーと、
前記反射ミラーからの光を受けて前記指標像パターンを表示するスクリーンと、
前記プロジェクタ、前記反射ミラー、および前記スクリーンの相対位置を維持してこれらを保持する可動筐体と、
前記可動筐体を支持する固定筐体と、
前記可動筐体を前記固定筐体に対して回転可能に連結する回転軸と、を備え、
前記反射ミラーを変位させることにより、前記スクリーンの上に表示される前記指標像パターンを一方向へ移動させ、
前記回転軸を回転させることにより、前記固定筐体に固定された座標系において、前記指標像パターンの移動方向を変更する、
動体視力測定装置。
【発明の詳細な説明】
【技術分野】
【０００１】
本発明は、人間の視力に係る測定を行う技術に関する。
【背景技術】
【０００２】
健康診断等では、対象物が静止している状態を見る視力（静止視力）の測定が、例えばランドルト環を目視することで行われている。また、対象物が動いている状態を見る視力（動体視力）の測定については、特許文献１に記載がある。
【０００３】
特許文献１では、動体視力を測定するために、スクリーン上の視標像を所定方向に移動させる。そして、移動する視標像に対して被検者から応答があったときの、視標像の移動速度が検出される。複数回の測定が行なわれ、その移動速度の平均値に基づき被検者の動体視力が測定される。
【先行技術文献】
【特許文献】
【０００４】
【特許文献１】特開平１１−１６４８１５号公報
【発明の概要】
【発明が解決しようとする課題】
【０００５】
人間が感覚器官を通じて、外界から受けるすべての情報のうち、視覚を通じて得る情報量は、全体の８７％と言われている。このため、視覚を通して与えられる種々の刺激に対する人間の反応を検討することは、人間の肉体的または精神的な状態を検討する上で有意義なものである。
【０００６】
特許文献１では、動体視力測定の一手法を提案しているが、スクリーン上の視標像は被検者に対して水平にしか移動しない。よって、得られる人間の反応も、水平方向に移動する対象に対するものに限定される。
【０００７】
眼球を動かす６つの筋肉は外眼筋と総称される。眼球の向きを変える運動は、どれか1つの筋肉が単独で収縮するのではなく、ほとんどの場合は６つの協調によってなされる。眼球を動かす方向によって、外眼筋の動作は異なるものになるため、視認対象物が動いている方向によって、被験者からは異なる反応が得られると考えられる。したがって、水平方向だけでなく、任意の方向に視認対象物を動かして、被験者の反応を測定すれば、人間の状態を検討する上で、より多くの情報を得ることができる。
【０００８】
本発明の目的は、水平方向だけでなく、任意の方向に視認対象物を動かして、被験者の反応を測定できる技術を提供することにある。
【課題を解決するための手段】
【０００９】
本発明の一側面は、指標像パターンを投影するプロジェクタと、プロジェクタからの光を反射する、反射面の変位が可能な反射ミラーと、反射ミラーからの光を受けて指標像パターンを表示するスクリーンと、プロジェクタ、反射ミラー、およびスクリーンの相対位置を維持してこれらを保持する可動筐体と、可動筐体を支持する固定筐体と、可動筐体を固定筐体に対して回転可能に連結する回転軸と、を備える、動体視力測定装置である。
【００１０】
本発明の他の一側面は、指標像パターンを投影するプロジェクタを用い、プロジェクタからの光を変位可能な反射面で反射し、反射面からの光をスクリーンに投影して、反射面の変位に伴ってスクリーン上で指標像パターンを移動させ、被験者に提示する動体視力測定方法であって、プロジェクタ、反射面、およびスクリーンの相対位置を維持して、これらを回転軸を中心に回転させることにより、被験者から見た指標像パターンの移動方向を変更する、動体視力測定方法である。
【００１１】
本発明の他の一側面は、指標像パターンを投影するプロジェクタと、プロジェクタからの光を反射する反射ミラーと、反射ミラーからの光を受けて指標像パターンを表示するスクリーンと、プロジェクタ、反射ミラー、およびスクリーンの相対位置を維持してこれらを保持する可動筐体と、可動筐体を支持する固定筐体と、可動筐体を固定筐体に対して回転可能に連結する回転軸と、を備える動体視力測定装置である。この装置では、反射ミラーを変位させることにより、スクリーンの上に表示される指標像パターンを一方向へ移動させ、回転軸を回転させることにより、固定筐体に固定された座標系において、指標像パターンの移動方向を変更する。
【発明の効果】
【００１２】
水平方向だけでなく、任意の方向に視認対象物を動かして、被験者の反応を測定できる技術を提供することができる。
【図面の簡単な説明】
【００１３】
【図１】実施例の動体視力測定装置の全体構成を示すブロック図。
【図２】表示装置の構成例を示す側面図。
【図３】表示装置の構成例を示す上面図。
【図４】表示装置を被験者側から見た模式図。
【図５】制御装置の構成例を示すブロック図。
【図６】プログラム番号、それに対応する指標像パターンおよび、正解の対応表の例を示す表図。
【図７】入力装置の斜視図および拡大上面図。
【図８】スクリーン上に表示される指標像パターン、それを被験者が見た向き、および、正解の向きの関係を示す概念図。
【図９】スクリーン上に表示される指標像パターン、および、入力装置の向きの関係を示す概念図。
【図１０】入力装置の他の例を示す上面図。
【図１１】入力装置のさらに他の例を示す上面図。
【図１２】実施例の動体視力測定装置の操作手順を説明するフロー図。
【発明を実施するための形態】
【００１４】
実施の形態について、図面を用いて詳細に説明する。ただし、本発明は以下に示す実施の形態の記載内容に限定して解釈されるものではない。本発明の思想ないし趣旨から逸脱しない範囲で、その具体的構成を変更し得ることは当業者であれば容易に理解される。
【００１５】
以下に説明する発明の構成において、同一部分又は同様な機能を有する部分には同一の符号を異なる図面間で共通して用い、重複する説明は省略することがある。
【００１６】
図面等において示す各構成の位置、大きさ、形状、範囲などは、発明の理解を容易にするため、実際の位置、大きさ、形状、範囲などを表していない場合がある。このため、本発明は、必ずしも、図面等に開示された位置、大きさ、形状、範囲などに限定されない。
【００１７】
図１は、本実施例の動体視力測定装置の全体構成を示すブロック図である。動体視力測定装置１００は、表示装置１０１、入力装置１０６、制御装置１０７を含む。
【００１８】
表示装置１０１は、プロジェクタ１０２と反射ミラー１０３とスクリーン１０４を含む。プロジェクタ１０２から投影された視標像（視認対象物）１１０は、反射ミラー１０３で反射してスクリーン１０４に投影される。反射ミラー１０３を動かすことによって、指標像はスクリーン１０４上を一方向に移動できるように構成されている。
【００１９】
被験者１０５は、スクリーン１０４上に表示される指標像を視認し、視認結果に応じて入力装置１０６に所望の入力を行う。表示装置１０１や入力装置１０６は、制御装置１０７によって制御され、制御装置１０７は操作者１０８が操作する。表示装置１０１、入力装置１０６、および制御装置１０７は、回線１０９によって信号やデータの送受信が可能となっている。回線１０９は、有線回線でも良いし、無線回線でも良い。
【００２０】
図２は、表示装置１０１の一例を示す側面図である。表示装置１０１は、被験者１０５から見たとき、任意の方向に視標像を動かすことが可能である。図２により表示装置１０１の構成を説明する。
【００２１】
表示装置１０１は、可動筐体２０１と固定筐体２０６を備える。可動筐体２０１には、プロジェクタ１０２が内蔵される。プロジェクタ１０２は、例えば液晶を用いたプロジェクタであり、１０〜２０ｃｍ角程度の小型のものが、既に市販されているので、それを用いることができる。プロジェクタ１０２は、視標像を投影する。視標像の画像データは、制御装置１０７からプロジェクタ１０２へ送信される。指標像としては、例えば静止時においてパターンの方向が視認できるものである。ランドルト環が代表的なものであるが、これに限る必要はない。また、方向ではなく、種類や大きさの相違を識別できるものであってもよい。たとえば、アルファベットやひらがなのようなパターンである。
【００２２】
プロジェクタ１０２は、反射ミラー１０３に指標像を投影する。反射ミラー１０３はモータ２０２によって、ミラー回転軸２０３を中心に回転することができる。この結果、反射面２０４の角度が変化するために、反射面２０４で反射されてスクリーン１０４に投影された指標像は、例えば紙面に垂直な方向に移動することになる。反射ミラーとしては平面鏡を用いればよいが、曲面鏡でもよい。本明細書で特に説明のない、反射ミラー１０３やスクリーン１０４の構成については、例えば特許文献１を踏襲してよい。
【００２３】
以上の構成で、図２の右手方向からスクリーン１０４を観察している被験者１０５は、例えば紙面に垂直な方向に移動する指標像を観察することになる。反射ミラー１０３の被験者側には、遮蔽部２０５があり、プロジェクタ１０２からの光が直接被験者に当たらないようにしている。
【００２４】
本実施例では、指標像を紙面に垂直な方向だけでなく、任意の方向に移動させる構成としている。そのために、可動筐体２０１は固定筐体２０６に対して、回転軸２０７を中心に回転可能に構成されている。すなわち、例えば可動筐体２０１に固定された回転軸２０７は、固定筐体２０６に設けられた貫通孔２１１に回転可能に保持されている。回転軸２０７が回転すると、可動筐体２０１および、これに保持されているプロジェクタ１０２、反射ミラー１０３、およびスクリーン１０４が一体となって中心軸２１０の周りを回転する。その結果、スクリーン１０４に投影される指標像の移動方向は、回転に伴って変化することになる。回転軸２０７の方向は、被験者の視線の方向と略同一に設定される。また図２には記載していないが、中心軸２１０上に被験者１０５の目を配置し、被験者１０５の目がミラー回転軸２０３上の位置に来るように（そして、被験者１０５の目とスクリーン１０４との距離を一定に保つように）、あごを固定する固定台も遮蔽部２０５の近傍に配置してある。
【００２５】
なお、固定筐体２０６は設置部２０８に固定され、設置部２０８は表示装置１０１全体を保持している。プロジェクタ１０２として小型の液晶プロジェクタを用いているので、図２の表示装置１０１は持ち運びのできる大きさとなっている。表示装置１０１は、設置部２０８を、適宜机や床の上などの設置面に置いて使用することができる。
【００２６】
図３は、図２の表示装置１０１の上面図である。スクリーン１０４は例えば矩形の形状をしており、平面または曲面を有する（通常は、反射面２０４の回転軸を中心とした半円形状）。矩形形状の長辺方向（図３では紙面上下方向）に、指標像を移動させることが好ましい。図３の例では、プロジェクタ１０２をスクリーン１０４の正面に配置しているが、プロジェクタ１０２と反射ミラー１０３の間に、さらに他の反射ミラーを追加設置して光軸を曲げることにより、プロジェクタ１０２の配置を自由に変更することができる。
【００２７】
図４は、表示装置１０１を被験者１０５側から見た模式図であり、可動筐体２０１の回転に伴う、指標像の移動方向を説明する図である。図４(a)の状態は、図２および図３に示した状態を示しており、指標像は矢印４０１に示すように、紙面水平方向を左から右へ移動する。図４(b)の状態は、図４(a)の状態から、可動筐体２０１が中心軸２１０を中心に、被験者１０５から見て左に（反時計回りに）９０度回転した様子を示している。可動筐体２０１が回転することにより、可動筐体と一体に構成されるプロジェクタ１０２、反射ミラー１０３、およびスクリーン１０４が、回転軸２０７を中心に回転する。このため、指標像は矢印４０２に示すように、紙面垂直方向を下から上へ移動することになる。
【００２８】
この間、点線で示した固定筐体２０６の位置は不変である。よって別の表現をすると、回転軸を回転させることにより、固定筐体に固定された座標系（これは被験者が認識する座標系と等価である）において、指標像パターンの移動方向が変化することになる。
【００２９】
回転軸２０７は、ネジなどで固定筐体２０６に機械的に固定すればよい。可動筐体２０１を回転させる場合は、ネジを緩め、中心軸２１０を中心に手動で可動筐体２０１を回転させる。位置が定まったら、ネジを締めつけて可動筐体２０１を固定する。あるいは、モータなどを用いて、回転軸２０７を回転させるようにしても良い。
【００３０】
図５は、制御装置１０７のブロック構成および操作画面例を示すブロック図である。制御装置１０７は、本実施例ではパーソナルコンピュータ等の小型の情報処理装置を用い、ソフトウェアで制御することにした。情報処理装置は、記憶装置５１１、ＣＰＵ（中央処理装置）５１２、入力インタフェース、および出力インタフェース（総称して「入出力インタフェース５１３」という）を備える。本実施例では、計算や制御等の機能は、記憶装置５１１に格納されたプログラムがＣＰＵ５１２によって実行されることで、入力インタフェースあるいは出力インタフェースを利用して、定められた処理を表示装置１０１や入力装置１０６に行わせる。ただし、同様の制御はソフトウェアを用いずに、ハードウェアのみで構成することもできる。
【００３１】
図５に示すレイアウト５１４は、制御装置１０７のモニタ画面に表示される制御用の画面である。ここでは、タッチパネル機能を有するモニタによって、制御装置１０７に入力を行うことを想定している。ソフトウェアを用いずに、ハードウェアのみで構成する場合には、機械的な押しボタンスイッチ等で構成してもよい。
【００３２】
表示ウインド５０１は、操作に必要な各種情報を表示する。例えばプログラム番号、現在のモータ２０２の速度、被験者１０５による回答の回数、回答を行ったタイミングでのモータ速度等である。モータの速度は、スクリーン上の指標像の移動速度等に換算して表示しても良い。
【００３３】
スタート表示５０２は、モータ２０２が回転している間点灯し、モータ２０２が停止状態の間は消灯される。
【００３４】
方向表示５０３は、モータ２０２の回転方向を示す。例えば、モータ２０２が時計方向に回転している間点灯し、反時計方向に回転している間消灯する。
【００３５】
定速表示５０４は、モータが一定速度で回転している間点灯する。
【００３６】
開始スイッチ５０５を押すと、モータ２０２が回転を始め、再度開始スイッチ５０５を押すと、モータ２０２は停止する。
【００３７】
方向切り替えスイッチ５０６を押すと、モータ２０２は時計方向に回転し、再度方向切り替えスイッチ５０６を押すと、モータ２０２は反時計方向に回転する。
【００３８】
定速スイッチ５０７を押すと、モータ２０２は一定速度で回転する。
【００３９】
リセットスイッチ５０８は、検査終了時、あるいは検査開始前に押すことにより、表示ウインド５０１とモータ２０２が初期状態に戻る。
【００４０】
速度調整レバー５０９は、スライドさせることによりモータ２０２の回転速度を変更することができる。
【００４１】
プログラム番号入力ウインド５１０には、プログラム番号を入力することができる。プログラム番号を入力することにより、番号に応じた検査のパターンを選択することができる。検査のパターンとしては、指標像の種類がある。また、モータ回転速度の変化のパターン等も含めることができる。
【００４２】
図６は、プログラム番号６０１と、それに対応する指標像パターン６０２および、被験者１０５の回答に対する正解６０３の対応表６００の一例を示す表図である。プログラム番号入力ウインド５１０で、プログラム番号６０１を入力または選択すると、指標像パターン６０２がプロジェクタ１０２に送られ、スクリーン１０４に当該指標像パターン６０２が表示される。表示された指標像パターン６０２を見た被験者１０５は、その向きを入力装置１０６に回答として入力する。回答は制御装置１０７に送られ、正解６０３と照合される。対応表６００のデータは、操作者１０８等が事前に準備しておき、制御装置１０７の記憶装置５１１に格納しておく。表示を行う際には、入出力インタフェース５１３から、表示装置１０１のプロジェクタ１０２に画像データが送信される。
【００４３】
被験者１０５は、自分が見たままの指標像パターン６０２の方向を入力装置１０６に入力するのが前提である。一方、本実施例では、プロジェクタ１０２からスクリーン１０４に至る光学系が一体として回転する。このため、同じ指標像パターン６０２を表示していても、可動筐体２０１の回転角度に依存して、被験者１０５から見た指標像パターン６０２の向きは異なって見える。よって、指標像パターン６０２や被験者１０５の回答に対する正解６０３が、スクリーン１０４のどの状態を前提としているかを規定しておく必要がある。本実施例では、図６の指標像パターン６０２と正解６０３は、スクリーン１０４の角度０度の場合のものとする。ここで、スクリーン１０４の角度０度とは、図４(a)の状態を言うものと規定しておく。この場合、図４(b)の状態は、スクリーン１０４の角度−９０度ということになる。
【００４４】
図７は、被験者１０５が操作する入力装置１０６の一例を示す、斜視図(a)と拡大上面図(b)である。入力装置１０６は例えば、４方向の入力が可能なジョイスティックを用いることができる。入力可能な方向は、指標像パターン６０２に応じて、４より多くても少なくても良い。図７(a)に示すように、入力装置１０６は独立した筐体を有しており、被験者１０５の前に設置した台座面７０３上に、移動可能に設置するものとする。図７(b)は、被験者１０５が自分の前の台座上に入力装置１０６を設置した状態で、被験者１０５から見た装置上面を示している。図７(b)に示すように、入力装置には入力方向が、上下左右に対応して、矢印７０２Ｕ，７０２Ｄ，７０２Ｌ，７０２Ｒで表示されている。
【００４５】
被験者１０５は、レバー７０１を、自分が見たスクリーン１０４上の指標像パターン６０２に応じて操作する。例えば、被験者１０５がスクリーン１０４上に、上に切れ目のあるランドルト環を見たと認識した場合、レバー７０１を上向きの矢印７０２Ｕで示される方向に操作する。入力装置は、上向きの矢印７０２Ｕ方向にレバー７０１が操作されたとき、「上」を示す信号を出力する。
【００４６】
レバー７０１の操作に応じた信号は制御装置１０７に送られ、正解６０３と照合される。上に切れ目のあるランドルト環は、図６の場合にはプログラムＮｏ１の指標像パターンである。よって、プログラムＮｏ１で測定が行われていた場合は、「上」を示す信号が正解である。プログラムＮｏ２〜４で測定が行われていた場合には、「上」を示す信号は不正解となる。被験者が照合された結果が「正解」になるまで、モータは回転をする。この時、２つの測定モードがある。一つは通常方法の設定速度からモータ２０２の回転速度が1回点毎遅くなりながら計測される測定モードである。もう一つが一定速度モードでモータ２０２が常に一定の回転速度で回転しながら計測される測定モードである。
【００４７】
上の例では、入力装置１０６として機械的なジョイスティックを用いたが、タッチパネル式の入力装置を用いても良い。本実施例では、入力装置１０６は例えば１０〜２０ｃｍ四方程度の大きさで、制御装置１０７や表示装置１０１とは別個独立の筐体で構成されており、容易に向きを変えられるものとする。
【００４８】
以上の実施例で述べてきたように、本実施例では光学系の向きが回転可能となっており、そのために光学系の回転角度によって、被験者１０５から見たスクリーン１０４上の指標像パターン６０２の向きが変化してしまう。そのため、被験者１０５が見たままの指標像パターン６０２の向きに従って、入力装置１０６を操作すると、図６のように、指標像パターン６０２に対応して定められている正解との対応が取れなくなる。
【００４９】
図８でこの問題を説明する。図８の上半分は、図４の(a)(b)の状態に対応して、スクリーン１０４上に表示される指標像パターン６０２を示したものである。すなわち、図８(a)はスクリーン角度０度の場合を示し、図８(b)はスクリーン角度−９０度の場合を示したものとなる。ここでは、図６のプログラムＮｏ１の指標像パターンが表示されているものと想定する。図６の説明で述べたように、図６の対応表はスクリーン角度０度を前提としている。図８(a)で示すように、プログラムＮｏ１の指標像パターンは、スクリーン角度０度では上向きだが、図８(b)のようにスクリーン角度−９０度では左向きに表示される。
【００５０】
ここで、被験者１０５が図７(b)のように設置された入力装置１０６に入力する場合を検討する。指標像パターン６０２に対する正解６０３は、スクリーン１０４の角度０度の場合のものであった。被験者１０５が指標像パターンを正しく認識した場合、図８(c)に示すようにスクリーン１０４の角度０度の場合は、被験者は図７(b)の入力装置のレバーを７０２Ｕの方向に操作する。このとき、被験者が入力した向きと正解の向きは一致する。
【００５１】
しかし、被験者が指標像パターンを正しく認識した場合であっても、図８(d)に示すように、スクリーン１０４の角度−９０度の場合は、被験者は図７(b)の入力装置のレバーを７０２Ｌの方向に操作してしまう。このため、被験者が入力した向きと正解の向きが一致しない。
【００５２】
図９に、この問題を簡単に解決する構成を示す。スクリーン１０４に、方向を示す第１のマーク９０１を付加する。また、入力装置１０６にも、方向を示す第２のマーク９０２を付加する。これらはスクリーン１０４や入力装置１０６にプリントしたものでも良いし、他の部材を接着等しても良い。第１のマーク９０１を付加する位置としては、指標像パターン６０２が表示される面が見やすい。また、第２のマーク９０２を付加する位置としては、入力装置１０６のレバー７０１等の入力手段が配置される面が見やすい。
【００５３】
そして、被験者１０５が入力装置１０６を操作する際には、スクリーン１０４の第１のマーク９０１に応じた方向に、入力装置１０６の第２のマークの方向を合わせてから使用する。簡単な方法としては、第１および第２のマークとして、三角形や矢印など、容易に方向を把握できるマークを用い、入力装置１０６の操作前には、第１のマークと第２のマークの方向を一致させるように、入力装置１０６をセットする。
【００５４】
例えば、スクリーン角度０度の場合には、図９(c)に示すように、入力装置１０６は第２のマーク９０２が被験者からみて上を向くように設置される。一方、スクリーン角度−９０度の場合には、図９(d)に示すように、入力装置１０６は、第２のマーク９０２が左を向くように設置される。このようにすると、スクリーン角度−９０度の場合、被験者１０５が認識した指標像パターン６０２に従って、左向きに入力したとしても、その入力方向９０３は、入力装置１０６に固定された座標において、スクリーン角度０度の場合と同じである。よって、入力装置１０６からは図９(c)の場合と同じ入力信号が得られるから、図６の対応表６００に基づいて、被験者の入力と正解との対応を正しくとることができる。
【００５５】
本実施例によると、スクリーン１０４と入力装置１０６にマークを追加し、入力装置１０６を向きを変更できる構成としておくだけで、他の信号処理を行うことなく、スクリーン１０４の向きに係らず、正しい試験結果を得ることができる。
【００５６】
図１０は、入力装置１０６の他の構成例を示す上面図である。入力装置１０６−２は、固定された筐体１００１と、筐体１００１に対して回転可能な入力部１００２を備える。入力部１００２は、矢印１００３の方向に回転が可能であり、スクリーン上の第１のマーク９０１に第２のマーク９０２を合わせることができる。表示装置１０１の可動筐体２０１をモータなどで回転させる場合、その動きに連動して、入力部１００２をモータなどで回転させるように構成してもよい。
【００５７】
以上は入力装置１０６の向きを、機械的にスクリーン１０４に合わせる構成であったが、信号処理によって行うこともできる。
【００５８】
図１１は、入力装置１０６の他の構成例を示す上面図である。この入力装置は、例えば携帯端末の液晶画面上に、入力方向を示す矢印を表示し、タッチパネルの機構によって、被験者１０５に矢印をタッチさせて方向を入力させる構成である。図１１(a)はスクリーン角度０度の場合であり、第２のマーク９０２は液晶画面上に上向きに表示され、入力方向が矢印７０２Ｕ，７０２Ｄ，７０２Ｌ，７０２Ｒで表示され、これに対応した信号が出力される。図１１(b)はスクリーン角度−９０度の場合であり、第２のマーク９０２は左向きに表示され、入力方向が矢印７０２Ｕ，７０２Ｄ，７０２Ｌ，７０２Ｒで表示される。入力装置１０６に表示される矢印としては、図１１(a)のものと差が無いが、出力される信号が、矢印に対して反時計回りにシフトしている。この結果、図９、図１０の例と同様に、被験者１０５が自分が見たとおりの指標像パターンを入力しても、図６の対応表６００に基づいて、被験者の入力と正解との対応を正しくとることができる。
【００５９】
本実施例の入力装置は、入力を行うために被験者が行う入力動作と、入力の結果出力される信号の対応関係を、可動筐体と固定筐体の回転角度に基づいて、変更可能に構成している。このような構成は、表示画面と出力信号の切り替えだけで行うことができ、簡単なプログラムまたはハードウェアで実現が可能である。図１１の例は、装置に機械的な動きによる負担が無く、信号処理で対応できるので、耐久性に優れる。また、人手を介さずに入力装置の設定が可能となるので、この場合には、第１のマーク９０１と第２のマーク９１２は省略しても良い。
【００６０】
図１２で、上述の動体視力測定装置１００を用いた測定手順の例について説明する。開始前に被験者１０５はスクリーン１０４が見え、入力装置１０６を操作できる位置に待機する。操作者１０８は、表示装置１０１のスクリーン１０４の角度を設定する（処理Ｓ１２０１）。次に、操作者１０８もしくは、ガイダンスを受けた被験者１０５は、例えば、図９に示した要領で、スクリーン１０４の第１のマーク９０１が示す方向に基づいて、入力装置１０６の向きを設定する（処理Ｓ１２０２）。このとき、入力装置１０６の第２のマークを参照することで設定が容易になる。
【００６１】
操作者１０８は、制御装置１０７を操作して、プログラムを選択する（処理Ｓ１２０３）。続いて操作者１０８は、モータ２０２を回転させる（処理Ｓ１２０４）。回転の速度や方向は任意である。モータ２０２の回転に伴って、スクリーン１０４上に投影された指標像パターンが移動する。
【００６２】
被験者１０５は、スクリーン１０４上に投影された指標像パターンを注視し、パターンが認識できた場合には、例えば指標像パターンがランドルト環の場合は、環の切断された向きを入力装置１０６から入力する（処理Ｓ１２０５）。入力がない場合には、モータ２０２の回転速度を下げ、指標像パターンの移動速度を遅くしていく（処理Ｓ１２０６）。モータ２０２の回転速度の制御は、操作者１０８が手動で行っても良いし、制御装置１０７が自動的に制御しても良い。入力があった場合には、図６に示したようなプログラムごとの正解と照合する（処理Ｓ１２０７）。通常は、正解のタイミングでの移動速度に基づいて測定結果を得る。上記では、モータ回転速度を下げる方向で測定を行ったが、上げる方向、あるいは一定速度で測定を行うこともできる。
【００６３】
本発明は上記した実施形態に限定されるものではなく、様々な変形例が含まれる。例えば、ある実施例の構成の一部を他の実施例の構成に置き換えることが可能であり、また、ある実施例の構成に他の実施例の構成を加えることが可能である。また、各実施例の構成の一部について、他の実施例の構成の追加・削除・置換をすることが可能である。
【符号の説明】
【００６４】
１００：動体視力測定装置、１０１：表示装置、１０２：プロジェクタ、１０３：反射ミラー、１０４：スクリーン、１０５：被験者、１０６：入力装置、１０７：制御装置、１０８：操作者
【図１】
2018126421.tif 000003
【図２】
2018126421.tif 000004
【図３】
2018126421.tif 000005
【図４】
2018126421.tif 000006
【図５】
2018126421.tif 000007
【図６】
2018126421.tif 000008
【図７】
2018126421.tif 000009
【図８】
2018126421.tif 000010
【図９】
2018126421.tif 000011
【図１０】
2018126421.tif 000012
【図１１】
2018126421.tif 000013
【図１２】
2018126421.tif 000014